(57)【要約】  【課題】  ゴルフ用のアナログ表示手段を有する携帯電子時計を提供する。  【解決手段】  このアナログ表示手段は、時針（９）と分針（１０）と秒針（１１）と２つの同心の表示リング（１５，１６）とを有し、このリングは開口（１４）を介して見ることができる。前記の異なる表示手段は互いに独立して駆動される。時計の電子回路（２０）は、ゴルフモードではゴルフのスコアをキープする。ゴルフのプレーに関連した情報を、現在の時計表示手段で表示することは、時計をゴルフモードの際に見やすくできる。電子回路により、時計の装着者は、ゴルフの間如何なる時でも既にプレーしたホールのスコアをみるこができる。これは１個の制御部材（８）を操作することにより行われる。【選択図】  図１
2006053143.tif 000002
【特許請求の範囲】
【請求項１】
ゴルフスコアを管理する機能を有する携帯電子時計（１，１００）において、
時計ムーブメントを有するケース（２）を有し、その上に文字盤（５）が搭載され、
前記時計ムーブメントは、第１アナログ表示部材（１０）と第２アナログ表示部材（９）とをそれぞれ制御するモータ手段に送信されるべき時間信号を生成する電子回路（２０）を有し、
前記アナログ表示部材は、時間モードと称する第１動作モードにおいて、現在の時間を表示するために、文字盤（５）上に配置され、
前記時計はさらに、ゴルフモードと称する第２動作モードを有し、
ゴルフモードにおいては、前記電子回路（２０）は、前記第１アナログ表示部材（１０）と第２アナログ表示部材（９）により、ゴルフのプレーに関連する情報を表示するために、前記モータ手段（２５）に送信されるべき制御信号を生成する
ことを特徴とする携帯電子時計。
【請求項２】
前記時計は、制御手段（８）と記憶手段（２３）とを有し、
前記電子回路（２０）は、前記ゴルフモードで、前記制御部材（８）の所定の操作に基づいて、前記モータ手段（２５）に送信されるべき第１電気信号を、生成し、
前記電気信号は、ゴルフコースのあるホールに対し、時計の装着者によりプレーされたストローク数を表し、
前記第１アナログ表示部材（１０）は、前記ホールの番号を表し、
前記第２アナログ表示部材（９）は、前記ホールでプレーされたストローク数を表し、
前記電子回路は、ゴルフコースのあるホールでのプレーしたストローク数を表すデータを記憶するために、前記記憶手段（２３）に前記第１電気信号を送信する
ことを特徴とする請求項１記載の携帯電子時計。
【請求項３】
前記電子回路（２０）と記憶手段（２３）は、前記ゴルフコースの各ホールに関連したデータを記憶する
ことを特徴とする請求項２記載の携帯電子時計。
【請求項４】
前記電子回路（２０）は、登録されたデータに基づいて且つ前記制御部材（８）の所定の操作に基づいて、前記モータ手段（２５）に送信すべき第２電気信号を生成し、
前記第１アナログ表示部材（１０）は、以前にプレーしたホールの番号を表し、
前記第２アナログ表示部材（９）は、そのホールでプレーしたストローク数を表す
ことを特徴とする請求項３記載の携帯電子時計。
【請求項５】
前記制御部材は、押し込み位置（Ｂ）を有する「竜頭のついた心棒」であり、
ゴルフモードにおいて、前記電子回路（２０）は、前記竜頭を時計回りに回転させてホールの番号を増やし、反時計回りに回転させてホールの番号を減らし、
前記竜頭を押すことにより、あるホールでプレーされたストローク数を増やす
ことを特徴とする請求項２−４のいずれかに記載の携帯電子時計。
【請求項６】
前記文字盤（５）は、開口（１４）を有し、
前記開口（１４）を介して、デジタル表示手段（１５，１６）が表示され、
前記デジタル表示手段（１５，１６）は、電子回路（２０）により制御され、
ゴルフモードにおいて、ゴルフのスタート時からプレーした全ストローク数を表示する
ことを特徴とする請求項１−５のいずれかに記載の携帯電子時計。
【請求項７】
前記デジタル表示手段（１５，１６）は、前記時間モードにおいて、日付を表す
ことを特徴とする請求項６記載の携帯電子時計。
【請求項８】
前記デジタル表示手段は、前記モータ手段（２５）により回転駆動され、数字が記載された２個の同心のリング（１５，１６）を有する
ことを特徴とする請求項６または７記載の携帯電子時計。
【請求項９】
第３アナログ表示部材（１１）をさらに有し、
前記第３アナログ表示部材（１１）は、時間モードでは秒を表し、ゴルフモードでは、ゴルフのプレーに関連するさらなる情報を表す
ことを特徴とする請求項１記載の携帯電子時計。
【請求項１０】
ゴルフモードにおいては、前記モータ手段は、第３アナログ表示手段（１１）を制御するよう構成され、
前記第３アナログ表示手段（１１）は、ホールの番号を表し、
前記第１アナログ表示手段（１０）は、前記ホールでプレーされたストローク数を表し、
前記第２アナログ表示手段（９）は、前記ホールのパーを表す
ことを特徴とする請求項９記載の携帯電子時計。
【請求項１１】
第３のアナログ表示手段（１１）を有し、
前記第３のアナログ表示手段（１１）は、前記時間モードでは秒を表し、ゴルフモードでは所定位置（ＳＴＡＢＬＥＦＯＲＤ）で動かない
ことを特徴とする請求項１−８のいずれかに記載の携帯電子時計。
【請求項１２】
活性化されたときに制御の機能を果たすよう配列された回転可能なベゼル（７）をさらに有する
ことを特徴とする請求項１−１１のいずれかに記載の携帯電子時計。
【発明の詳細な説明】
【技術分野】
【０００１】
本発明は、文字盤がその上方に搭載される時計のムーブメントを含むケースを有するゴルフのスコアを記録する機能を具備した携帯電子時計に関する。
【０００２】
本発明の時計のムーブメントは、少なくとも１個の第１と第２のアナログ表示手段をそれぞれ制御し、モータ手段に送信される時間信号を生成する電子回路を含む。これらの表示部材は、文字盤上に配列され、時間モードと称する第１の動作モードにおいては現在時刻を表示する。
【背景技術】
【０００３】
ゴルフのスコアをキープ（記録）する機能を有する時計は、従来から公知である。
【０００４】
特許文献１は、ユーザがゴルフの最中にプレーしたストローク数をカウントすることのできるアナログ表示を具備した電子時計を開示している。
【０００５】
【特許文献１】国際公開第９４／２１３３８号明細書
【特許文献２】ヨーロッパ特許第０７３８９４４号明細書
【０００６】
前掲の特許文献１に開示された時計の基本的原理は、開示した全ての実施例に共通するものであるが、文字盤の上に中心をずらした、時間表示と同様に小さな指針を有する小さなカウンタを用いいる。この時計の電子回路は、この小さな指針を駆動するモータを制御するよう構成され、これにより、ゴルフのスコアをキープする動作モードにおいてはゴルフのプレーに関連するデータを表示する。
【０００７】
前掲の特許文献１は、ゴルフモードを、小さな指針と大きな中央にある指針で完成させ、適宜のスケールが時計のベゼルおよび／または文字盤上に具備される。
【０００８】
しかし、このような電子装置は、取り扱いおよび表示を読む観点から、使用方法が複雑となる。ゴルフに関し表示されたデータを理解することは、特に時計上の目盛り／換算の数とその一部は縮小して表示されていることを考えると、困難である。
【発明の開示】
【発明が解決しようとする課題】
【０００９】
本発明の第１目的は、前述した従来技術の欠点を解決することであり、これはスコアを数えながら且つ読みやすい方法でゴルフのプレーに関連するデータを、時計の使用者に提供できるような本発明の携帯電子時計で達成される。
【００１０】
かくして、本発明は前述の構成の携帯電子時計である。本発明の時計は第２動作（ゴルフ）モードを有し、このゴルフモードにおいては、本発明の電子回路は、第１と第２のアナログ表示手段でゴルフのプレーに関連するデータを表示するために、モータ手段に送信される制御信号を生成するよう構成される。
【００１１】
特に、ゴルフのプレーに関連したデータは、各ホールでプレーされたストローク数とプレー中のホールの番号である。
【００１２】
本発明の他の目的は、ユーザがいつでもゴルフプレーに関連した登録データを簡単早急且つ読みやすい方法で、携帯電子時計を提供することである。
【課題を解決するための手段】
【００１３】
かくして、本発明の時計は、制御手段と記憶手段とを具備し、この手段によりユーザは進行中のゴルフに関連したデータを入力し登録することができる。本発明の特徴によれば、時計の電子回路は、以前に記録したデータをユーザが見ることができるように構成される。例えば、この一例は前のホールでプレーしたストローク数であり、これは制御部材を所定の操作をすることにより見ることができる。
【００１４】
さらにまた、進行中のゴルフゲームのスタート時からプレーしたストロークの全数の値を表示するような更なる表示手段を具備することができる。本発明の一実施例によれば、このような表示手段はデジタル表示で、時計に形成された適宜の開口を介して見ることができる。
【００１５】
本発明の時計の別の実施例によれば、第３のアナログ表示部材により、ゴルフのプレーに関連した更なる情報を表すよう構成され、この第３の表示手段は、時間モードでは秒針である。
【実施例】
【００１６】
図１は、本発明の第１実施例による携帯電子時計の正面図である。
【００１７】
携帯電子時計１は、従来の時計に類似している。携帯電子時計１は、モールドされた裏蓋の中間部品であるプラスチック製あるいは金属製のケース２と、腕バンド４を取り付けるラグ３と、時計用ムーブメント（図示せず）と、文字盤５とを有する。ケース２は、ベゼル７が搭載される周囲の上にガラス６を被せて、その上部表面が閉じられる。携帯電子時計１は、制御部材８、すなわち「竜頭の付いた心棒（stem-crown）」を有し、従来の回転動作に加えてプッシュボタンとして用いることができる。
【００１８】
ベゼル７は、携帯電子時計１のさまざまな動作モードに関連する指示を含むセクターを有する。実際に、本発明の実施例において、ベゼル７は、特に携帯電子時計１の動作モードを選択する制御部材の機能を有する。
【００１９】
当業者は、特許文献２の開示事項を実施できる。特許文献１は、「リード型」接点、即ち永久磁石間の相互作用を利用した接点を用いて、制御部材機能を満たすベゼル構造を開示している。前掲の特許文献２の教示は、本発明を実現するのに特に適したこの種の制御部材の単なる一例である。
【００２０】
本発明の携帯電子時計１は、第１時間動作モードにおける３本の指針即ち時針９、分針１０、秒針１１を有する。
【００２１】
文字盤５は、１から１８の番号を含む第１環状スケール１２を有する。これらの数字は１０時と２時の間で時計回りに並んでいる。この文字盤５は、さらに０から１２の番号を含む第２環状スケール１３を有する。この数字は、８時と４時の間で反時計回りに並んでいる。第２環状スケール１３は黒丸で示しているが、本発明は、文字盤５のスケール１２、１３に開示した表現に限定されるものではなく、当業者は本発明の範囲を離れずに、他の適宜の形状で表現できる。
【００２２】
文字盤５は、開口１４通常大きな開口を有し、そこを通してリング１５、１６の２つの部分を見ることができる。図１においては、それぞれ数字「３」と「８」が示されている。
【００２３】
この時間モードにおいては、開口１４は、リング１５、１６を共に用い、日にちを表示する。
【００２４】
本発明の携帯電子時計１は、少なくとも第２の動作モード（ゴルフモードと称する）を有し、このモードにおいてはゴルフのスコアをカウントするのに用いられる。
【００２５】
本発明による携帯電子時計１の第１実施例によれば、時針９と分針１０は、それぞれ、文字盤５の第２環状スケール１３と第１環状スケール１２の上にあり、それぞれゴルフコースのあるホールでプレーした全ストローク数と、そのホールの番号を示している。図１に示した実施例によれば、第２環状スケール１３は、ゴルフボールをゴルファーに思い出させ、それが示している情報をより早く特定させる。すなわちあるホールでの総ストローク数を示す。
【００２６】
さらにまた、ゴルフモードにある時には、秒針１１は９時に対応する場所を指し、時計の装着者に対して、時針９と分針１０は現在の時刻を示していないことを表している。当然のことながら、ここに開示したゴルフモードにおける秒針１１の挙動は、単なる一実施例で、当業者は、本発明の範囲を離れることなく、この指針の別の動きを考え得る。
【００２７】
ゴルフモードにおいては、リング１５、１６は、ゴルフのスタート時からのプレーした全ストローク数を示す。かくしてここに示した実施例においては、時計の装着者は、既に全部で３８のストロークをたたき、７番ホールでプレー中（分針１０がそれを示す）で、そのホールで既に５打目（時針９がそれを示す）打ったことを示している。
【００２８】
図１ａは、２個のリング１５、１６を示し、特にリングに記載された数字を示す。従来の日付の「０」から「３」の数字に加えて、内側リング１５は、さらに「４」から「１３」まで追加され、ゴルフプレー専用の数字を含む。同様に、外側リング１６は、従来の「０」から「９」の数字に加えて、更に「ｎ」、「ｆｆ」、「Ａ」、「Ｐ」の、別の動作モードに関連した（英）数字を含む。別の英数字に関連する動作について、次に詳述する。
【００２９】
ここに記載した機能の具体的実現例は図２で説明する。同図は、本発明の電子式時計の電子回路のブロック図である。
【００３０】
一般的に携帯電子時計１の電子回路は、制御回路（時間関連機能とゴルフ専用機能を具備する）２１を含む集積回路２０を有する。この集積回路２０は、携帯電子時計１の従来の時間機能を完備し、時分割回路である制御回路２１を有し、この制御回路２１は時間ベースとして機能する共振器２２に接続されている。この共振器２２から時間に関連した情報が制御回路２１に生成され、制御回路２１が、時間モード機能と追加の動作モードに関連する機能を実行する。
【００３１】
集積回路２０は、メモリ領域、特に第１メモリ領域２３を有する。この第１メモリ領域２３は、揮発性で、制御回路２１により実行された計算結果が周期的に記憶される。第１メモリ領域２３は、ゴルフのプレー中にボールを打った全ストローク数に加え、各ホールでのスコアを記憶する。第１メモリ領域２３に対する他の変形例は、例えば１８個のレジスタを具備し、各レジスタが、ゴルフコースの各ホールに関連づけられている。さらなるレジスタを具備し、ゴルフのスタート時からプレーした全ストローク数を記録することも出来る。
【００３２】
時間モードにおいては、制御回路２１は、適宜の信号を、例えば５個の双方向モータを管理するモータ制御回路２５に送り、その結果、針９、１０、１１は、現在時刻を表し、リング１５、１６は、開口１４を通して日付を表す。
【００３３】
さらにまた、時計の集積回路２０は、制御部材８により加えられた圧力、および制御部材８が正回転あるいは逆回転した時を検出する従来手段を有する。制御部材８は、Ａが静止位置で２つの軸方向位置を有する。非安定位置Ｂと安定位置Ｃである。
【００３４】
さらに、図１に示した実施例によれば、携帯電子時計１のベゼル７は、制御部材の機能を実行する。かくして時計の集積回路２０は、ベゼル７の正回転と逆回転の回転動作を検出する従来手段を有する。特に集積回路２０は、携帯電子時計１の特定の動作モードがベゼル７に刻まれた各セクターに対応するよう構成される。好ましくは集積回路２０は、動作モードの変化に従って、使用中のモードは、１２時の位置に来たセクターに対応するよう配列される。従来技術では、ベゼルを回転することにより選択された動作モードは、制御部材８に加えられた短い時間の圧力に応答して活性化されている。
【００３５】
好ましくは、時間動作モードとゴルフ動作モードは、上記の手順により他の動作モードが活性化された時には非活性化される。さらなる（別の）動作モードは、非活性状態が数秒間継続すると自動的に非活性化され、時間モードに戻る。
【００３６】
本発明の単なる一実施例によれば、ベゼル７は、「１」から「４」の数字を有する隣り合って配置されたセクターを含む。この４セクターを使用することにより、本発明による時計が有するゴルフスコアのカウント機能が、１−４人のプレーヤの数に対し、実現できる。かくして図１に示した構成においては、２番目のプレーヤのスコアは、数字「２」を有するセクターが時計の１２時の位置に配置された時に、表示手段により示される。ユーザが、ベゼル７を回転して「３」の数字のセクターを１２時の位置に配置したときには、制御部材８を少し押すことにより、表示手段は、集積回路２０によりモータ制御回路２５を介して制御され、３番目のプレーヤのスコアを表す。
【００３７】
ベゼル７の１つのセクターは、「時間（ｔｉｍｅ）」の表示を有し、それが１２時の位置にある場合、短時間圧力を制御部材８に加える前に、時間モードを活性化する。
【００３８】
さらに、従来公知の手段を用いて制御部材８を安定位置Ｃの位置に引き出した時に時間モードにおいて、針９、１０の示す現在の時刻を修正できる。
【００３９】
さらにまた、現在時刻の修正モードが上記したように活性化されると、内側リング１５は、開口１４には何のマークも見えないようにし、外側リング１６には「Ａ」または「Ｐ」の前記のマークが開口１４を介して見えるよう制御することができる。これらのマーキング（英数字）は、時計の装着者には、１２時間のサイクルで時間が進行することを示す。言い換えると、表示された現在時刻は、「ａ．ｍ．（午前）」あるいは「ｐ．ｍ．（午後）」であり、これらは通常表示された日にちが変わった時点で変わる。
【００４０】
別の方法として、あるいはそれを補う方法として、１２時間のサイクルの表示は、リング１５、１６により開口１４を介して、午前中に対しては「１２」の指標を、午後に対しては「２４」の指標を、表示するよう構成できる。第２の場合には、あるタイプの表示から別のタイプへの表示の移行は、時間モードから制御部材８を長い間押すことにより行われ、開口１４内の「Ａ」と「２４」の表示を変えることにより行われる。
【００４１】
本発明の携帯電子時計１のさらなる動作モードを例を挙げて説明する。制御回路２１は、従来と同様、永久カレンダー機能を管理するようプログラムされている。図１に示した携帯電子時計１のベゼル７は、日付調整機能に対応した「ｄａｙ（日付）」の指標を有するセクターと、現在の月の表示機能に対応する「ｍｏｎｔｈ（月）」の指標を表すセクターを含む。これにより開口１４に現れる数字が日にち、月を表す。その値を修正するために同様な機能が１２時の位置に「ｙｅａｒ（年）」の指標を有するセクターを配置することにより現在の年の調整ができる。好ましくは、日付、月、年のそれぞれの値の調整は、従来と同様に所望の機能がベゼル７により選択された後、制御部材８を回転することにより行われる。制御部材８は、誤操作のリスクを避けるために、調整機能を活性化させるためには、引き出し位置Ｃの位置で行われる。
【００４２】
「ａｌａｒｍ（警報）」の指標を有するセクターが図１のベゼルに例として示されている。所定の警報時刻は、このセクターが１２時の位置にあったときに、針９、１０により示されている。警報時刻の設定は、動作モードを「ａｌａｒｍ（警報）」位置に設定し、制御部材８を引き出し位置Ｃに引き出し回転させることにより変更できる。この警報表示と設定モードにおいては、リング１５、１６を適宜選択的に用いて、時計の装着者が設定した警報時刻に対応する１２時間のサイクルで示すようにできる。これは現在時刻の修正モードと同じである。
【００４３】
さらなる動作モードが具備され、ベゼル７の配列により活性化される。その一例の動作モードは、例えば「ｏｎ−ｏｆｆ（オン−オフ）」の指標を有するセクターを１２時の位置に配置することである。この動作モードは、警報機能を活性化／非活性化するために、引き出し位置Ｃにある制御部材８を回転させることにより行われる。この動作モードにおいても、リング１５、１６を用いて、携帯電子時計１の装着者に対し、警報機能の状態を通知する。内側リング１５は、マーク（英数字）「０」が開口１４に現れるように配列される。一方外側リング１６は、警報機能がそれぞれ「オフ」または「オン」のいずれかに従って、マーク（英数字）「ｆｆ」または「ｎ」が現れるようにしている。かくしてこの「ｏｎ−ｏｆｆ（オン−オフ）」モードにおいては、１方向あるいは別の方向の制御部材８の新たな回転時に、リング１６はある方向に駆動され、その後別の方向に駆動され、その結果大きな開口に「Ｏｆｆ」または「Ｏｎ」を表示する。具体的には、内側リング１５の「０」と外側リング１６の「ｆｆ」と「ｎ」の組合わせで、「Ｏｆｆ」または「Ｏｎ」の表示を完成させている。別の構成として、内側リング１５は、日付の表示で既に用いられた「０（数字のゼロ）」の代わりに「Ｏ（英文字のオー）」の表示を有する特定の位置（表示）を有してもよい。
【００４４】
警報に関連する２つのモードを１個のモードに組み合わせることも可能である。この１個のモードにおいては、警報時間表示が開口１４に表示される「Ｏｎ」または「Ｏｆｆ」の表示により示される。同様にこの場合、警報時間は引き出し位置Ｃに配置された制御部材８を回転することにより設定される。さらに、警報機能の活性状態は押し込み位置Ｂにある制御部材８に圧力を加えることにより、直接変更するよう構成することもできる。
【００４５】
ゴルフのカウンタとしての携帯電子時計１の動作を以下詳述する。前述したようにゴルフのカウンタ機能は、携帯電子時計１のベゼル７が数字「１」から「４」を有するセクターの内の１つが１２時の位置に配置され、制御部材８を押し込み位置Ｂの方向に少し押すことにより活性化される。
【００４６】
本発明により携帯電子時計１の集積回路２０をプログラムする好ましい方法は、ゴルフモードにおいては、あるホールに関連する情報の表示から、別のホールの情報の表示への変更は、静止位置Ａにある制御部材８の回転の検出に応じて起こる。
【００４７】
ゴルフのプレー中においては、携帯電子時計１はゴルフモードにあり、集積回路２０は、制御部材８を押し込み位置Ｂに押すことに応答して、あるホールでプレーしたストローク数を増やすようプログラムされている。
【００４８】
同時に、集積回路２０は、ゴルフの開始からボールを打った（プレーした）全ストローク数の値を記憶し、モータ制御回路２５に送るべき適宜の電気信号を生成するようプログラムされている。この信号に基づいて、モータ制御回路は、リング１５、１６を、それらが開口１４を介してこの値を表示するよう駆動する。かくしてゴルフ中に、制御部材８を少し押すことにより、あるホールでプレーしたストローク数の値のみならずゲームの開始時からプレーした全ストローク数の値を増やす。
【００４９】
最初に、本発明の一実施例により、第１メモリ領域２３に以前に記憶していた、各ホールでプレーしたストローク数と対応するホールに対する値を、ゼロにリセットする。これをするために、ユーザは、あるプレーヤに対しゴルフモードを活性化し、制御部材８を長い間押し込み位置Ｂに押す。この押し込み時間は、例えば５秒である。
【００５０】
ゴルフの開始時に、時計の装着者はゴルフモードを活性化すると、分針１０は文字盤５の第１環状スケール１２の「１」に配置される。同時に、時針９は第２環状スケール１３に配置され、前のゲームの第１ホールでプレーしたストロークの値が示され、一方秒針１１は９時の位置に配置される。その後時計の装着者は、新たにゴルフを開始する前に、制御部材８を長時間押して、前のゴルフの間に記憶された値を初期化する。
【００５１】
第１ホールでプレーしたストローク毎に、時計の装着者は、制御部材８を短い時間押して、プレーしたストローク数の記憶された値を増やす。前述したように、開口を介してリング１５、１６により表示された値は、現在のホールでプレーしたストローク数の増分と共に増分される。第１ホールが終了すると、時計の装着者は制御部材８を回転させ、好ましくは時計回りに回転させて、現在のホールの番号を増分し、分針１０が第１環状スケール１２の「２」を示すまで増分する。これらの操作は、ゴルフが終了するまでプレーされた各ホールに対し繰り返される。
【００５２】
ゴルフのプレー中の如何なる時でも、時計の装着者は、既にプレーしたホールのスコアを制御部材８を反時計回りに回転することにより再び見ることができる。そして、分針１０をホールの番号の方向に減らす方向に動かし、一方時針９は各ホールに対しプレーしたストローク数の記憶値を示す。
【００５３】
優れた表示の見やすさに加えて、本発明の時計は、使用の観点から、例外的に優れた楽しさとさまざまな動作の方法を教授するのに必要な操作方法を提供する。
【００５４】
実際に、集積回路２０と表示手段の特定の配列により、ゴルフプレーの如何なる時点でも、前のホールでプレーしたストローク数を表示し、且つ現在プレー中のホールのストローク数を表示できる。
【００５５】
当然のことながら、当業者は、本発明の時計の集積回路２０を自分が望むようにプログラムして、制御部材８のさまざまな動作をそれぞれ応答して提供することが出来る。
【００５６】
さらにまた、一人のプレーヤが、ベゼル７の「１」から「４」の指標を有するセクターに対応する４個の位置を用いて、各セクターをあるゴルフコースに関連づけることもできる。
【００５７】
上記した実施例の変形例によれば、第２メモリ領域２４が、あるゴルフコースの特徴を記憶するよう、特にパー（per）の項目を記録するよう具備される。ユーザは、あるゴルフコースの各ホールのパーを入力することができる。このために時計がゴルフモードにあるときには、時計の集積回路２０は、引き出し位置Ｃにある制御部材８の検出に応答し、「ｉｎｐｕｔ（入力）」モードを活性化するよう構成される。
【００５８】
第２メモリ領域２４は、好ましくは再プログラム可能な揮発型（ＦｌａｓｈメモリまたはＥＰＲＯＭ）である。ユーザが異なるゴルフコースでプレーしたときに、記憶されているデータをその後更新することができる。
【００５９】
さらにまた、第１メモリ領域２３に関連して記載したアーキテクチャは、第２メモリ領域２４をあるゴルフコースの１８ホールのそれぞれのパーを記憶するように、構成することもできる。
【００６０】
「ｐａｒ  ｉｎｐｕｔ（パー入力）」モードにおいては、リング１５、１６は、モータ制御回路２５により回転し、リング１６にある表示「Ｐ」のみが開口１４を通して見えるようにすることができる。このような表示は、携帯電子時計１の利用者がゴルフコースの特徴を入力するモードにあることを示している。
【００６１】
かくして、あるホールが選択されると、それに対応する部分が、制御部材８を引き出し位置Ｃで回転すると、入力される。パーの値は、制御部材８を第１回転方向に回転することにより増やし、反対方向に回転することにより減らすことができる。かくして得られた値は、制御部材８が静止位置Ａに押された時に、第２メモリ領域２４に記憶される。
【００６２】
この変形例による時計の集積回路２０は、秒針１１が、ゴルフモードで、ゴルフプレーに関連する情報を表示するよう制御するようプログラムすることができる。実際に、秒針１１は、文字盤５の第１環状スケール１２を指し、プレー中のホールの番号を示す。一方時針９と分針１０は、それぞれパーの値とそのホールでプレーしたストローク数を第２環状スケール１３上に示す。
【００６３】
ゴルフ動作モードにおいて、時間表示指針により提供される表示を分散させることにより、本発明の時計はユーザに対し優れた読みとり易さを提供できる。特に、時計の装着者は、ゴルフ中のあるホールのパーに対し、一瞥しただけで、自分の状況を直ちに見ることができる。
【００６４】
ゴルフゲームの開始時に、携帯電子時計１の装着者が、ゴルフモードを活性化すると、秒針１１は文字盤５の第１環状スケール１２の「１」の指標を指す。同時に、時針９と分針１０は、第２環状スケール１３を指して配置され、第２メモリ領域２４に記憶された、それぞれ前のゲームの第１ホールでプレーしたストロークの値と第１ホールのパーの値を表示する。説明を単純にするために、パーの値はこの段階でプレー中のゴルフコースに対応しているものとする。その後時計の装着者は、パーの値以外に前のゲームで記憶された値を、新たなゴルフゲームを開始する前に、押し込み位置Ｂに制御部材８を長時間押し込んで初期化する。
【００６５】
好ましくは、ゴルフゲームの間に、制御部材８に対して行われるこの操作は、前に記載したものと同一であり、詳細な説明は割愛する。
【００６６】
しかし、一人のプレーヤが、数字「１」から「４」を示すベゼル７のセクターに対応する４個の位置を用いて、これらのセクターをあるゴルフコースに関連づけるようにすることもできる。このために、第１プレーヤのためにメモリに記憶されたパーの値は、デフォルトで自動的に、他の３人のプレーヤに対応する第２メモリ領域２４の位置内にも二重に記憶される。しかし、一人のプレーヤが自分が通常プレーするいくつかのゴルフコースに対し、時計を利用しようと思うときには次のゴルフコースに対し、新たなパーの値を入力しなければならない。この入力された新たな値は、第１コースの値が入力されたときに、デフォルトにより記憶された値を消去する。
【００６７】
図３は、本発明の電子時計の第２実施例を示し、外観は図１に類似する。
【００６８】
本発明の第２実施例の時計１００は、第１実施例の時計と外観は類似している。従って、図１に関し既に説明した構成要素は図３でも同一の参照番号を付してある。
【００６９】
文字盤５は、更なる表示１０１、すなわち「ｓｔａｂｌｅｆｏｒｄ」を有し、これによりこの実施例は前の実施例と区別できる。さらにまた、第１スケール１１２、第２スケール１１３はそれぞれ、第１実施例の第１環状スケール１２、１３より、短い。
【００７０】
時計１００は、本発明の電子時計の別の実施例で、集積回路２０の配置が前述したのとは異なっている。
【００７１】
回転する回転ベゼル１０７は、第１実施例のベゼル７と類似するが、時計１００の異なる動作モードに対応する１０個のセクターを含む。
【００７２】
ベゼルは、「１」から「４」のそれぞれの指標を示す４個のセクターと、「ｉｎｉｔ１」、「ｉｎｉｔ２」、「ｉｎｉｔ３」、「ｉｎｉｔ４」の指標を有する４個の更なるセクターを有し、これらの８個のセクターはゴルフモードの異なる機能に対応している。「ｔｉｍｅ（時間）」指標を有するセクターは、時間動作モードを活性化し、「ａｌａｒｍ（警報）」表示を有するセクターは、前述した警報機能と類似の機能を、活性化、非活性化あるいは設定するものである。
【００７３】
好ましくは、制御部材８は４個の軸方向位置を有する。すなわち、中間位置、あるいは静止位置Ａ、押し込み位置Ｂ、第１引き出し位置Ｃ、第２引き出し位置Ｄである。
【００７４】
表示「ｓｔａｂｌｅｆｏｒｄ」１０１が示唆するように、本発明の第２実施例の時計１００は、ユーザは「ｓｔａｂｌｅｆｏｒｄ」方式に従って、ゴルフのスコアをキープすることが可能となる。当然のことながら、本発明は、この厳密なルールに限定されるものではない。実際に、当業者は異なるスコア・キーピング・ルールに対応するために、異なる方法で時計の集積回路をプログラムすることができる。例えば、本発明の範囲から離れることなく「ａｍｅｎｄｅｄ（修正された）ｓｔａｂｌｅｆｏｒｄ」方式ある。
【００７５】
好ましくは、時計１００の集積回路２０は、従来のスコア・キーピング・システムと「ｓｔａｂｌｅｆｏｒｄ」システムとの間で時計の装着者が選択できるように、構成される。
【００７６】
図３は、あるゴルフゲームの構成に対する時計１００の外観を示すが、スコア・キーピング・システムは従来システムで実行される。
【００７７】
このような構成においては、時針９はプレー中のホールのパーの値（第２スケール１１３で）を、分針１０は、そのホールでプレーしたストローク数の値（第２スケール１１３で）を、秒針１１は、プレー中のホール数の値（第１スケール１１２で）を示す。この構成により、パーはゴルフの間、プレー中の各ホールで常に表示されているために、読みやすさの観点から、更なる利点がある。かくして時計１００の装着は、一瞥しただけで対応するパーに関し、あるホールでの自分の状況を把握できる。
【００７８】
このスコアリング・システムにおける竜頭の付いた心棒１０８の操作は、第１実施例で説明下のと同一である。
【００７９】
しかし、更なる操作が付け加えられて「ｓｔａｂｌｅｆｏｒｄ」のスコアリング・システムでスコアを記録することができる。このスコアリング・システムにおいては、各ホールはパーに加えてハンディキャップ値を有する。このハンディキャップ値は、ゴルフモードで、あるホールに対し設定可能である。これは、ゴルフモードで、竜頭の付いた心棒１０８を第２の引き出し位置Ｄに置き、その後ハンディキャップ値を増分するには第１方向に、そして減らすにはその反対方向である第２方向に回転させる。
【００８０】
この「ｓｔａｂｌｅｆｏｒｄ」スコアリング・システムは、各プレーヤに関連したハンディキャップ値を含む。４人のプレーヤのそれぞれのハンディキャップ値が入力され、第１メモリ領域２３に記憶される。これは、回転ベゼル１０７が「ｉｎｉｔ１」から「ｉｎｉｔ４」の指標を有するそれぞれ４個のセクターが、１２時の位置に配置されたときに行われる。この場合、分針１０は最初に第１スケール１１２に移動し、あるプレーヤのハンディキャップを表す。竜頭の付いた心棒１０８がその第１の引き出し位置Ｃにあるときには、その回転によりそれに関連するプレーヤのハンディキャップ値を変更する。
【００８１】
好ましくは、同時に集積回路２０は、秒針１１を動かす為に、モータ制御回路２５に送信されるべき信号を生成し、秒針１１が９時の位置に動かずに配置される。言い換えると、秒針１１は「ｓｔａｂｌｅｆｏｒｄ」の表示１０１上に重なる。
【００８２】
さらに、第２メモリ領域２４は「ｓｔａｂｌｅｆｏｒｄ」方式に従ってスコアをキープするのに適したプログラムを有する。これにより集積回路２０は、ゴルフのプレー全体を通してこの方法に従って各プレーヤのスコアを計算できる。好ましくは、各プレーヤは上記したように自分のハンディキャップを表示するために回転ベゼル１０７を配列することにより、いつでも「ｓｔａｂｌｅｆｏｒｄ」のスコアを見ることができる。リング１５、１６は、このモードで制御され、開口１４を通して「ｓｔａｂｌｅｆｏｒｄ」のスコア値を動じに表示させることができる。
【００８３】
この実施例の電子時計は、第１実施例のそれとは異なる機能を有するが、同様な方法で動作モードあるいは入力データを変化させるために、非常に簡単な制御部材の操作と容易に読むことのできる表示を提供する。
【００８４】
前述した実施例と同様に、時間モードとゴルフモードに対し同一の表示部材を用いることにより、時計１００の文字盤５に多くの表示をすることを回避することができ、且つさまざまな指標に対し、良好な読みやすさを確保のに十分な大きさ文字のサイズを維持できる。
【００８５】
さらにまた、入力されたデータをその後使用すること、例えばあるホールでプレーしたストローク数は、このデータのメモリ蓄積構造故に非常に楽しいものであり、そのような本発明の集積回路２０のプログラムも可能となる。
【００８６】
前記の説明は、本発明の好ましい実施例に対応するものであり、時計に関し記載した構造と制御部材の特徴と数さらにはまたスケールの位置に関し、特に制限されるものではない。本発明の時計が、例えばコンパスのようなさらなる機能を含むこともできる。同様に本発明は、これらのパラメータは制御回路を適宜プログラムすることにより修正できる限り、それらをそれぞれ活性化されるのに用いられる動作モードおよび手段に限定されるものではない。当業者はそれぞれの要件に適合するために本発明にしたがって時計の操作を困難なく行うことができる。
【００８７】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００８８】
【図１】本発明の第１実施例による携帯電子時計の正面図。
【図１ａ】図１の携帯電子時計の構成部品の一部を表す図。
【図２】図１の携帯電子時計の電子回路のブロック図。
【図３】本発明の第２実施例による携帯電子時計の正面図。
【符号の説明】
【００８９】
１  携帯電子時計
２  ケース
３  ラグ
４  腕バンド
５  文字盤
６  ガラス
７  ベゼル
８  制御部材
９  時針
１０  分針
１１  秒針
１２  第１環状スケール
１３  第２環状スケール
１４  開口
１５、１６  リング
２０  集積回路
２１  制御回路（時間関連機能とゴルフ専用機能を具備する）
２２  共振器
２３  第１メモリ領域
２４  第２メモリ領域
２５  モータ制御回路
１００  時計
１０１  表示
１０７  回転ベゼル
１０８  竜頭の付いた心棒
１１２  第１スケール
１１３  第２スケール
【図１】
2006053143.tif 000003
【図１ａ】
2006053143.tif 000004
【図２】
2006053143.tif 000005
【図３】
2006053143.tif 000006